(57)【要約】【課題】眼鏡を直ちに装着可能な状態で保持することができ、眼鏡を取り外した際に同時に身体から取り外すことの多い装飾品等の小物を眼鏡と共に収容することが可能な眼鏡ホルダーを提供する。【解決手段】少なくとも対向する２側壁２０を有し、２側壁２０，２０間にテンプル２２０を広げた状態の眼鏡２００を横置きに載置可能であり、内部に小物を収納可能な筐体３０と、２側壁２０，２０の上辺２２の対向する位置に形成され、横置きされる眼鏡２００のレンズ部２１０もしくはリム部を切り欠き辺２４ｂで受けて、眼鏡２００を保持可能な切り欠き２４と、を具備することを特徴とする眼鏡ホルダーである。【選択図】図３
0003147140.tif 000002
【実用新案登録請求の範囲】
【請求項１】
少なくとも対向する２側壁を有し、該２側壁間にテンプルを広げた状態の眼鏡を横置きに載置可能であり、内部に小物を収納可能な筐体と、
前記２側壁の上辺の対向する位置に形成され、横置きされる眼鏡のレンズ部もしくはリム部を切り欠き辺で受けて、眼鏡を保持可能な切り欠きと、を具備することを特徴とする眼鏡ホルダー。
【請求項２】
前記筐体の下部に引き出しが設けられていることを特徴とする請求項１記載の眼鏡ホルダー。
【請求項３】
前記切り欠きが、Ｖ字状に形成されていることを特徴とする請求項１または２記載の眼鏡ホルダー。
【請求項４】
前記Ｖ字状に形成された前記切り欠きにおいて、前記レンズ部または前記リム部を受ける切り欠き辺が傾斜辺に形成されていることを特徴とする請求項３記載の眼鏡ホルダー。
【請求項５】
前記切り欠きが、円弧状に形成されていることを特徴とする請求項１または２記載の眼鏡ホルダー。
【請求項６】
前記切り欠きが、前記２側壁の上辺の複数箇所に設けられていることを特徴とする請求項１〜５のうちのいずれか一項に記載の眼鏡ホルダー。
【請求項７】
前記複数の切り欠きの前記傾斜辺が平行になるように形成されていることを特徴とする請求項６記載の眼鏡ホルダー。
【請求項８】
前記筐体には、錘が配設されていることを特徴とする請求項１〜７のうちのいずれか一項に記載の眼鏡ホルダー。
【考案の詳細な説明】
【技術分野】
【０００１】
本考案は眼鏡ホルダーに関する。
【背景技術】
【０００２】
眼鏡を使用する人は複数の眼鏡を所有していることが多く、同じ部屋の中であっても複数の眼鏡が存在していることも珍しいことではない。また、近視用の眼鏡と老眼用の眼鏡を使い分けている人においては、さらに所有する眼鏡の数が多くなるため、眼鏡の整理整頓が億劫になり、必要なときに必要な眼鏡がすぐに取り出せないこともしばしば見受けられる。
顔面から取り外した眼鏡を仮置きする際には、眼鏡のテンプルを折りたたんだ状態にするなどして、そのままテーブルの上等に放置しておくことが多い。中には、適当な大きさのトレイを準備して眼鏡専用のトレイとして用いる人もいるようである。
【０００３】
このように眼鏡を使用している人達が、顔面から取り外した眼鏡を整理整頓した状態で収納することができるような眼鏡ホルダーとしては、例えば特許文献１において提案されているようなものがある。
【特許文献１】特開平９−３１５２３３号公報
【考案の開示】
【考案が解決しようとする課題】
【０００４】
特許文献１において開示されている眼鏡ホルダーは、図５および図６に示すように、吸着盤Ｋを用いて所望の場所に眼鏡ホルダーＨＬＤを吸着保持して用いるものである。眼鏡Ｌは、眼鏡ホルダーＨＬＤに形成された係止凹部Ｃに、折りたたんだ状態のテンプルＴを係止させ、ブリッジＢを切れ込み部ＫＫにて保持させている。このような眼鏡Ｌの保持形態では、眼鏡ホルダーＨＬＤに眼鏡Ｌを保持させる際にはテンプルＴの折りたたみ作業が必要になり、眼鏡ホルダーＨＬＤに保持させてある眼鏡Ｌを顔面に再度装着しようとする際にはテンプルＴを展開する作業が必要になり、取り扱いが繁雑になってしまう。
また、特許文献１記載の眼鏡ホルダーＨＬＤは眼鏡Ｌを保持する機能しか有しておらず、眼鏡Ｌを外した際に同時に取り外すことが多い装飾品等を眼鏡Ｌと同じ場所にまとめて収納しておくことができないという課題もある。
【０００５】
そこで本願考案は、眼鏡を直ちに装着可能な状態で保持することができ、眼鏡を取り外した際に同時に身体から取り外すことの多い装飾品等の小物を眼鏡と共に収容することが可能な眼鏡ホルダーの提供を目的としている。
【課題を解決するための手段】
【０００６】
以上の目的を達成するため本願考案は以下の構成を有する。
すなわち、少なくとも対向する２側壁を有し、該２側壁間にテンプルを広げた状態の眼鏡を横置きに載置可能であり、内部に小物を収納可能な筐体と、前記２側壁の上辺の対向する位置に形成され、横置きされる眼鏡のレンズ部もしくはリム部を切り欠き辺で受けて、眼鏡を保持可能な切り欠きと、を具備することを特徴とする眼鏡ホルダーである。
【０００７】
また、前記筐体の下部に引き出しが設けられていることを特徴とする。これにより、通常時には小物を隠した状態で収容および保管することができ、整理整頓を促進することができる。
【０００８】
また、前記前記切り欠きが、Ｖ字状または円弧状に形成されていることを特徴とする。これらにより、眼鏡のレンズがより安定した状態でセットされることになる。
また、前記Ｖ字状に形成された前記切り欠きにおいて、前記レンズ部または前記リム部を受ける切り欠き辺が傾斜辺に形成されていることが好ましい。これにより眼鏡のレンズ部を安定して受けることができる。
【０００９】
また、前記切り欠きが、前記２側壁の上辺の複数箇所に設けられていることを特徴とする。これにより、複数の眼鏡を同時に保持することができる。
また、前記複数の切り欠きの前記傾斜辺が平行になるように形成されていることを特徴とする。これにより、複数の眼鏡を保持する際において同じ状態にすることができるため、見た目において良好である。
【００１０】
また、前記筐体には、錘が配設されていることを特徴とする。これにより、引き出しを出し入れする際に、眼鏡ホルダーが不意に動くことを防ぎ、保持させている眼鏡を安定して保持すると共に、引き出しの出し入れ操作を片手で行うことができる。
【考案の効果】
【００１１】
本考案にかかる眼鏡ホルダーによれば、切り欠きに載置されている眼鏡を取り出せば、テンプルを展開することなく直接顔面に装着することができる。しかも、眼鏡ホルダーにおいて眼鏡が最上部に位置させた状態で保持可能であるため、眼鏡が取り出しやすく、使い勝手が良好である。また、眼鏡と同時に身体から取り外すことの多い装飾品等の小物を眼鏡と共に収容することができるため、整理整頓がすすみ、眼鏡と装飾品の管理が容易になる。
【考案を実施するための最良の形態】
【００１２】
以下、本考案にかかる眼鏡ホルダーの実施形態について、図面に基づいて説明する。図１は、眼鏡ホルダーの斜視図である。図２は、図１内のＡ−Ａ線における断面図である。図３は、図１に示す眼鏡ホルダーに眼鏡をセットした斜視図である。
本実施形態における眼鏡ホルダー１００は、合成樹脂材料により形成されていることを想定しているが、厚紙や金属板等に代表される公知の他の材料によって形成することも可能である。
【００１３】
本実施形態における眼鏡ホルダー１００は、図１、図２に示すように、小物が収納可能に形成された上面開口空間４２および側面開口空間４０を有する直方体状の筐体３０と、筐体３０を構成する側壁２０の上辺２２に眼鏡２００をセットするために形成された切り欠き２４と、を具備している。
筐体３０は、長方形状に形成された底板１０および中間底板１２と、底板１０の外周縁において一方の短辺を除く３つの外周縁に沿って立設され、その内側面で中間底板１２を保持する側壁２０と、により構成されている。中間底板１２は、底板１０と同一形状に形成されていて、底板１０と平行な状態で側壁２０の内側面によって保持されている。
第２の側壁２１は、中間底板１２の外周縁のうち側壁２０に当接していない一方の短辺に沿って中間底板１２の上方側のみに延出している。第２の側壁２１の高さ寸法は、側壁２０の上辺２２の高さ位置と等しくなる寸法に形成されている。
【００１４】
筐体３０の上部には、中間底板１２、側壁２０、第２の側壁２１により、小物を収容可能な上面開口空間４２が形成されている。また、筐体３０の下部には、底板１０、中間底板１２、側壁２０により側面開口空間４０が形成されている。側面開口空間４０には側面開口空間４０に出し入れ自在な引き出し５０が配設されている。
【００１５】
底板１０の長辺方向に沿って立設された対向する一対の側壁２０，２０の上辺２２，２２には、複数個所に切り欠き２４，２４が形成されている。切り欠き２４には眼鏡２００のレンズ部２１０やリム部が載置される。図１および図２に示されているように、本実施形態における切り欠き２４は略Ｖ字状に形成されている。
【００１６】
切り欠き２４を構成する一方の切り欠き辺２４ａは、側壁２０の上辺２２から鉛直方向に延伸する鉛直辺に形成されている。これに対し、他方の切り欠き辺２４ｂは、側壁２０の上辺２２に対して傾斜する方向に延伸する傾斜辺に形成されている。本実施形態においては、眼鏡２００のレンズ部２１０を他方の切り欠き辺２４ｂ（以下、傾斜辺２４ｂということがある）に受けさせることにより、眼鏡２００を眼鏡ホルダー１００に保持させている。
各々の側壁２０の上辺２２に沿って複数箇所に配設されている傾斜辺２４ｂどうしは、互いに平行となるように形成されている。これにより、眼鏡２００を同じ状態で傾斜辺２４ｂに受けさせることができ、眼鏡ホルダー１００に眼鏡２００を整列させた状態で保持することが可能になり、外観上好適である。
【００１７】
図３に示すように、本実施形態における眼鏡ホルダー１００は、顔面から取り外してテンプル２２０を折りたたまない状態で、直ちに顔面に装着可能な状態の眼鏡２００を保持することを特徴としている。
これを実現するため本実施形態においては、切り欠き２４の深さ寸法を３．０ｃｍ程度とし、切り欠き２４の底部の高さ位置を、設置面Ｇから９．０ｃｍ程度の高さ位置に設定した。また、切り欠き２４が形成されている対向する側壁２０どうしの離間距離は９．０ｃｍ〜１２．０ｃｍ程度に設定している。
【００１８】
このような寸法で形成した切り欠き２４の傾斜辺２４ｂに眼鏡２００をセットすれば、ほとんどの眼鏡２００は、レンズ部２１０またはリム部が傾斜辺２４ｂに載置されることになる。また側壁２０の上辺２２に対して斜め下側に向けてテンプル２２０が延伸し、テンプル２２０の自由端部が設置面Ｇから離反した状態または設置面Ｇに接地する状態になる。
いずれの状態においても眼鏡２００は、切り欠き２４の傾斜辺２４ｂ，２４により保持されているので、安定した状態で眼鏡２００を保管することができる。特に、テンプル２２０の自由端部が設置面Ｇに接地している場合においては、テンプル２２０と設置面Ｇとの接地部分においても眼鏡２００が保持されることになり、より安定した状態での保管が可能になる。
【００１９】
筐体３０の上部に形成されている上面開口空間４２は、眼鏡２００と共に身体に着脱する機会の多い装飾品等を収容する際において好適である。眼鏡２００を外す前に装飾品を取り外して上面開口空間４２に収納し、眼鏡２００を装着してから装飾品を装着すれば、上面開口空間４２から装飾品等の出し入れを行う際に眼鏡２００が邪魔になることはない。
なお、本実施形態における上面開口空間４２の深さ寸法は６．０ｃｍ程度とした。
【００２０】
また、筐体３０の下部に形成された側面開口空間４０には、側面開口空間４０に出し入れ自在な引き出し５０が配設されている。本実施形態においては、引き出し５０の高さ寸法も６ｃｍ程度とした。引き出し５０には、普段使用することはないが眼鏡２００と共にあると便利な物品（例えば、レンズクリーナや精密ドライバー等の修理道具）を収納しておけば好都合である。このような物品は引き出し５０により閉塞された側面開口空間４０に隠した状態で保管することができ、整理整頓の面において効果的である。
本実施形態における引き出し５０には、側面開口空間４０の開口部を覆う壁面５２の上辺部分に切欠部５４を形成し、この切欠部５４を取手部として用いている。
【００２１】
また図２に示すように、側面開口空間４０の開口部４４から最も奥側の部分には錘６０が配設されている。錘６０は側面開口空間４０内に配設された隔壁４６により塞がれた状態で筐体３０内に配設されている。この錘６０としては、いわゆるテープカッターに用いられている錘を適用することができる。このような錘６０を備えているので、使用者により引き出し５０の出し入れ操作が行われる際に、眼鏡ホルダー１００が動かないように他方の手で押さえる必要がないため使い勝手が良好である。また、眼鏡２００を保持させた状態の眼鏡ホルダー１００に不意に接触したとしても簡単には動いてしまうこともなく、保持した眼鏡２００の破損が防止される点においても好適である。
【００２２】
以上に、本実施形態にかかる眼鏡ホルダー１００について図面に基づいて詳細に説明を進めてきたが、本考案にかかる眼鏡ホルダー１００は以上に示した実施形態に限定されるものではなく、他の実施形態を採用することができるのはもちろんである。例えば、本実施形態においては、切り欠き２４にレンズ部２１０を載置する形態について説明しているが、切り欠き２４にリム部を載置することによって眼鏡２００を保持させるようにしてもよい。
【００２３】
また、本実施形態においては図３に示すように、眼鏡２００のレンズ部２１０の下側が上向きになる状態で眼鏡ホルダー１００に眼鏡２００が保持されている形態について説明したが、図４に示すように、眼鏡２００のブリッジ部分が上側となるように眼鏡ホルダー１００に保持されている状態（図３で示している眼鏡２００を上下反対にして眼鏡ホルダー１００にセットした状態）とすることもできる。
【００２４】
また、本実施形態においては、底板１０の外周縁のうち３つの外周縁に側壁２０を立設し、残る１つの外周縁に相当する位置の中間底板１２の外周縁の位置に第２の側壁２１を配設することにより、側面開口空間４０および上面開口空間４２を形成しているが、底面１０の全ての外周縁に沿って側壁２０を立設させて、側壁２０の一部に、側壁２０の外側と内側に貫通する開口部４４を形成することで側面開口空間４０および上面開口空間４２を形成する構成とすることもできる。
【００２５】
また、筐体３０内への錘６０の配設形態は、錘６０を板状に形成すれば、筐体３０の底面部分に配設することができ、本実施形態のように側面開口空間４０内への隔壁４６の配設を省略することができるため好都合である。また、底板１０の下面に滑り止め部材や滑り止め加工が施されている場合には、錘６０の配設を省略することができる。これにより、引き出し５０の収納容量を増加させることができるため好都合である。
【００２６】
また、本実施形態における切り欠き２４は、Ｖ字状に形成された実施形態を例示しているが、Ｖ字状以外の形状では、Ｕ字状や円弧状をなす切り欠き２４に形成してもよい。
また、本実施形態における対向する一組の側壁２０には複数組の切り欠き２４が配設されていて、２本の眼鏡２００を保持することが可能な形態について説明しているが、切り欠き２４は一組だけであってもよいし、３組以上の切り欠き２４を配設することもできる。
【００２７】
さらに、本実施形態においては、切り欠き２４が配設される側壁２０は、正面視形状が長方形をなしているが、正方形に形成する形態や台形状に形成する形態とすることもできる。この際、側壁２０となる台形状の板は、一方の脚が上底および下底に対して直角をなす台形板に形成し、この台形板の一方の脚を設置面Ｇに載置すれば、複数の眼鏡２００をセットする際に、眼鏡２００のセット高さを引き出し５０の出し入れ方向において異ならせることができるため、眼鏡２００の出し入れを容易に行うことができる点において好都合である。
【図面の簡単な説明】
【００２８】
【図１】眼鏡ホルダーの斜視図である。
【図２】図１内のＡ−Ａ線における断面図である。
【図３】図１に示す眼鏡ホルダーに眼鏡をセットした斜視図である。
【図４】眼鏡を図３に示す状態と上下反対に眼鏡ホルダーにセットした斜視図である。
【図５】従来技術における眼鏡ホルダーの一例を示す斜視図である。
【図６】図５の眼鏡ホルダーに眼鏡を保持させた状態を示す図である。
【符号の説明】
【００２９】
１０  底板
１２  中間底板
２０  側壁
２１  第２の側壁
２２  上辺
２４  切り欠き
２４ａ  一方の切り欠き辺
２４ｂ  他方の切り欠き辺（傾斜辺）
３０  筐体
４０  側面開口空間
４２  上面開口空間
４４  開口部
４６  隔壁
５０  引き出し
５２  壁面
５４  切欠部
６０  錘
１００  眼鏡ホルダー
２００  眼鏡
２１０  レンズ
２２０  テンプル
【図１】
0003147140.tif 000003
【図２】
0003147140.tif 000004
【図３】
0003147140.tif 000005
【図４】
0003147140.tif 000006
【図５】
0003147140.tif 000007
【図６】
0003147140.tif 000008